(57)【要約】【課題】非言語コミュニケーションを主に用いることによって言語などでは表現しきれない想いを容易に伝えることができる電子機器、電子機器用アクセサリおよびプログラムを提供する。【解決手段】スマートフォン１Ａ,１Ｂ（電子機器の一例）が、ＧＰＳモジュール（第一の位置情報取得部の一例）を用いて自己の現在の位置情報を取得し、Ｗｉ−Ｆｉモジュール（第二の位置情報取得部の一例）を用いて相手方のスマートフォン（対象の一例）の位置情報を取得し、これらにより取得した位置情報から自己の位置情報を起点としてみた場合の相手方の方位を示す方位情報と、方位センサ（方位検出部の一例）により検出された自己の現在の方位情報とに基づいて鳥型アクセサリ２Ａ,２Ｂ（電子機器用アクセサリの一例）に内蔵されたＬＥＤを発光させる（所定の動作の一例）。【選択図】図２
2015136074.tif 000002
【特許請求の範囲】
【請求項１】
自己の現在の位置情報を取得する第一の位置情報取得部と、
所定の動作のトリガーとして設定される対象の位置情報を取得する第二の位置情報取得部と、
前記第一の位置情報取得部および前記第二の位置情報取得部で取得した位置情報から、前記自己の位置情報を起点としてみた場合の前記対象の方位を示す方位情報を算出する方位算出部と、
自己の現在の方位情報を検出する方位検出部と
前記方位算出部で算出された前記対象の方位を示す方位情報と、前記方位検出部によって検出された自己の方位情報とに基づいて前記所定の動作を実行させる動作制御部と、
を有することを特徴とする電子機器。
【請求項２】
請求項１に記載の電子機器であって、
自己の現在の角度情報を検出する角度検出部を有し、
前記方位算出部は、
前記第一の位置情報取得部および前記第二の位置情報取得部で取得した位置情報から、前記自己の位置情報を起点としてみた場合の前記対象の角度を示す角度情報を算出し、
前記動作制御部は、
前記方位角算出部で算出された方位情報および角度情報と、前記方位検出部によって検出された自己の現在の方位情報と、前記角度検出部によって検出された自己の現在の角度情報とに基づいて所定の動作を実行させることを特徴とする電子機器。
【請求項３】
請求項１または２に記載の電子機器であって、
前記動作制御部は、
前記方位算出部で算出された前記対象の方位を示す方位情報と、前記方位検出部によって検出された自己の方位情報とが一致する、または両者がほぼ一致する場合に所定の動作を実行させる、あるいは、
前記方位算出部で算出された前記対象の方位を示す方位情報および角度情報と、前記方位検出部によって検出された自己の方位情報および前記角度検出部によって検出された自己の角度情報とが一致する、または両者がほぼ一致する場合に所定の動作を実行させる、
ことを特徴とする電子機器。
【請求項４】
請求項１から請求項３のいずれか１項に記載の電子機器と電気的に接続可能な連結端子部と、
前記連結端子部を介して前記電子機器の動作制御部からの指示に基づいて出力される電気信号を光エネルギまたは物理振動エネルギに変換する変換部と
を有することを特徴とする電子機器用アクセサリ。
【請求項５】
コンピュータを、
自己の現在の位置情報を取得する第一の位置情報取得手段と、
所定の動作のトリガーとして設定される対象の位置情報を取得する第二の位置情報取得手段と、
前記第一の位置情報取得手段および前記第二の位置情報取得手段で取得した位置情報から、前記自己の位置情報を起点としてみた場合の前記対象の方位を示す方位情報を算出する方位算出手段と、
自己の現在の方位情報を検出する方位検出手段と
前記方位算出手段で算出された前記対象の方位を示す方位情報と、前記方位検出手段によって検出された自己の方位情報とに基づいて所定の動作を実行させる動作制御手段、として機能させるためのプログラム。
【発明の詳細な説明】
【技術分野】
【０００１】
本発明は、電子機器、電子機器用アクセサリおよびプログラムに関する。
【背景技術】
【０００２】
近年、通話機能以外の機能も有する多機能型の携帯電話（いわゆるスマートフォン）を中心としたコミュニケーションデバイスの発達により、遠隔にいる者同士が言語を用いたコミュニケーションを行うことが容易となっている。また、スマートフォン以外のコミュニケーションツールとして言語を用いないコミュニケーション（いわゆる非言語コミュニケーション）も一般的になりつつある。
【０００３】
非言語コミュニケーションの一例として、たとえば、フェイスブックジャパン株式会社が提供するインターネット上のソーシャル・ネットワーキング・サービス（SNS）であるfacebookでは、友達やFacebookページが投稿したコンテンツや、Facebookページそのものに対して、「いいね！」ボタンをクリックすることで、言葉を直接用いなくても前向きな意思表示（好き、楽しい、支持できるなど）をすることができるように設計されている（非特許文献１参照）。
【０００４】
また、ＬＩＮＥ株式会社が提供している、携帯電話（スマートフォン・フィーチャーフォン）・パソコン向けのインターネット電話やテキストによるチャットなどのリアルタイムのコミュニケーションを行うためのインスタントメッセンジャーであるＬＩＮＥ（ライン）というアプリケーションにおいても、５，０００種類以上のオリジナルスタンプや絵文字などを送り合うことで、文字だけでは伝わらない気持ちを相手に伝えることができるように設計されている（非特許文献２参照）
【先行技術文献】
【特許文献】
【０００５】
【非特許文献１】「いいね」と「シェア」の使い方http://www.facebook.com/notes/globis/%E3%81%84%E3%81%84%E3%81%AD%E3%81%A8%E3%82%B7%E3%82%A7%E3%82%A2%E3%81%AE%E4%BD%BF%E3%81%84%E6%96%B9/166256396757065（２０１４年１月１５日検索）
【非特許文献２】無料通話・メールアプリ  LINE（ライン）  http://line.me/ja/（２０１４年１月１５日検索）
【発明の概要】
【発明が解決しようとする課題】
【０００６】
しかしながら、非特許文献１および非特許文献２に示す技術では、非言語コミュニケーションを部分的に実現するものではあるが、少なからず言語（言葉、文字）、写真などの言語コミュニケーションを同時に利用して初めて成立し得るものであり、非言語コミュニケーションを主に用いることによって、言語などでは表現しきれない想いを相手に伝達することは非常に困難である。
【０００７】
本願発明は、非言語コミュニケーションを主に用いることによって言語などでは表現しきれない想いを容易に伝えることができる電子機器、電子機器用アクセサリおよびプログラムを提供することを目的とする。
【課題を解決するための手段】
【０００８】
本発明の第一の側面は、電子機器に関するものである。すなわち、本発明の電子機器は、自己の現在の位置情報を取得する第一の位置情報取得部と、所定の動作のトリガーとして設定される対象の位置情報を取得する第二の位置情報取得部と、第一の位置情報取得部および第二の位置情報取得部で取得した位置情報から、自己の位置情報を起点としてみた場合の対象の方位を示す方位情報を算出する方位算出部と、自己の現在の方位情報を検出する方位検出部と方位算出部で算出された対象の方位を示す方位情報と、方位検出部によって検出された自己の方位情報とに基づいて所定の動作を実行させる動作制御部とを有することを特徴とする。
【０００９】
また、上述した構成に加えて、本発明の電子機器は、自己の現在の角度情報を検出する角度検出部を有し、方位算出部は、第一の位置情報取得部および第二の位置情報取得部で取得した位置情報から、自己の位置情報を起点としてみた場合の対象の角度を示す角度情報を算出し、動作制御部は、方位角算出部で算出された方位情報および角度情報と、方位検出部によって検出された自己の現在の方位情報と、角度検出部によって検出された自己の現在の角度情報とに基づいて所定の動作を実行させることが好ましい。
【００１０】
また、上述した構成に加えて、本発明の電子機器の動作制御部は、方位算出部で算出された対象の方位を示す方位情報と、方位検出部によって検出された自己の方位情報とが一致する、または両者がほぼ一致する場合に所定の動作を実行させる、あるいは、方位算出部で算出された対象の方位を示す方位情報および角度情報と、方位検出部によって検出された自己の方位情報および角度検出部によって検出された自己の角度情報とが一致する、または両者がほぼ一致する場合に所定の動作を実行させることが好ましい。
【００１１】
また、本発明の第二の側面は、電子機器用アクセサリに関するものである。すなわち、本発明の電子機器用アクセサリは、上述した電子機器と電気的に接続可能な連結端子部と、連結端子部を介して電子機器の動作制御部からの指示に基づいて出力される電気信号を光エネルギまたは物理振動エネルギに変換する変換部とを有することを特徴とする。
【００１２】
また、本発明の第三の側面は、プログラムに関するものである。すなわち、本発明のプログラムは、コンピュータを、自己の現在の位置情報を取得する第一の位置情報取得手段と、所定の動作のトリガーとして設定される対象の位置情報を取得する第二の位置情報取得手段と、第一の位置情報取得手段および第二の位置情報取得手段で取得した位置情報から、自己の位置情報を起点としてみた場合の対象の方位を示す方位情報を算出する方位算出手段と、自己の現在の方位情報を検出する方位検出手段と方位算出手段で算出された対象の方位を示す方位情報と、方位検出手段によって検出された自己の方位情報とに基づいて所定の動作を実行させる動作制御手段として機能させるためのプログラムであることを特徴とする。
【発明の効果】
【００１３】
本発明によると、非言語コミュニケーションを主に用いることによって言語などでは表現しきれない想いを容易に伝えることができる電子機器、電子機器用アクセサリおよびプログラムを提供することができる。
【図面の簡単な説明】
【００１４】
【図１】本発明の第１の実施の形態に係るスマートフォン１に鳥型アクセサリ２が装着された状態を示す図である。
【図２】鳥型アクセサリ２Ａを装着したスマートフォン１Ａと，鳥型アクセサリ２Ｂを装着したスマートフォン１Ｂとの間での行われる非言語コミュニケーションの一例を示す図である。
【図３】図１に示すスマートフォン１の機能的構成を示すブロック図である。
【図４】図１に示す鳥型アクセサリ２を説明するための図であり、（Ａ）は、鳥型アクセサリ２の外観を示す図であり、（Ｂ）は、鳥型アクセサリ２のハウジング２１内部に挿入される電子基板２２およびＬＥＤ２３などを示す図である。
【図５】ペアリングの設定手順を説明するためのフローチャート図である。
【図６】スマートフォン１と鳥型アクセサリ２とを用いて非言語コミュニケーションによる意思伝達を行う際の一連の動作を示すフローチャートである。
【図７】スマートフォン１のディスプレイに表示される画面の一例を示す図である。
【図８】本発明の第２の実施の形態に係る鳥型デバイス３０の外観を示す図である。
【図９】図８に示す鳥型デバイス３０の機能的構成を示すブロック図である。
【発明を実施するための形態】
【００１５】
以下、本発明の実施の形態について説明する。しかしながら、本発明は以下に説明する実施の形態に限定されるものではない。
【００１６】
（第１実施形態）
図１は、本発明の第１の実施の形態に係るスマートフォン１に鳥型アクセサリ２が装着された状態を示す図である。本実施例では、鳥型アクセサリ２を装着したスマートフォン１を所有しているユーザは、不図示の他の鳥型アクセサリを装着した他のユーザのスマートフォンなどとの間で予めペアリングがなされている（ペアリングの詳細については後述）。そして、スマートフォン１のヘッド部分を予めペアリングされている相手方のいる方向へ向けると、鳥型アクセサリ２に内蔵されるＬＥＤ２３が発光する、または内蔵されているスピーカ２４によって鳥のさえずりなどの鳴き声が出力されるように構成されている。
【００１７】
図２は、鳥型アクセサリ２Ａを装着したスマートフォン１Ａと，鳥型アクセサリ２Ｂを装着したスマートフォン１Ｂとの間での行われる非言語コミュニケーションの一例を示す図である。図２に示すように、たとえば、ユーザ同士がお互いのいる方向に向けあうと、鳥型アクセサリ２Ａ、２Ｂがそれぞれ光り、鳥がさえずりあう状態となる。図２に示す例では、両者は近距離でおこなっているが、遠隔地にいても同様に鳥型アクセサリ２Ａ、２Ｂがそれぞれ光り、鳥がさえずりあう状態となる。また、ペアリングされる相手方はスマートフォンのみに限定されるものではなく、特定の場所や建物などに設定することも可能となっている。以下、このような動作を実現するための構成について詳細に説明する。
【００１８】
図３は、図１に示すスマートフォン１の機能的構成を示すブロック図である。スマートフォン１は、ＧＰＳ（Global Positioning System）モジュール１１と、Ｗｉ−Ｆｉモジュール１２と、制御部１３と、方位センサ１４と、角度センサ１５と、赤外線モジュール１６とを有している。なお、図３のブロック図としては示していないが、スマートフォン１のハードウェア構成として、たとえばモデム（ベースバンド）と、電源と、オーディオＬＳＩと、メモリと、カメラ装置とディスプレイなども備えている。
【００１９】
ＧＰＳモジュール１１は、請求項の第一の位置情報取得部の一例である。ＧＰＳモジュール１１は、地球軌道上にある複数のＧＰＳ衛星（不図示）から電波を受信し、それらのＧＰＳ衛星からスマートフォン１までの電波到達時間（Ｔｉｍｅ ｏｆ Ａｒｒｉｖａｌ）及びＧＰＳパラメータを用いてスマートフォン１の位置を算出することで位置情報を取得することができる。これにより、スマートフォン１の位置（例えば、緯度及び経度）を検出することができ、間接的に、ユーザの位置あるいは鳥型アクセサリ２の位置を検出することができる。なお、本発明の第一の位置情報取得部としては、スマートフォン１の位置を全世界的あるいは所定の地域において把握することができる機能を有するものであればＧＰＳ以外の技術、仕組みを採用してもよい。たとえば、ＥＵにて構築中のガリレオや、インドで構築中のインド地域航法衛星システム（Indian Regional Navigational Satellite System、IRNSS）など）であってもよい。あるいは、本発明の第一の位置情報取得部は、日本で開発中の準天頂衛星システム (Quasi-Zenith Satellite System, QZSS)を用いて、ＧＰＳの位置情報を補正したより高精度の測位情報を用いるものであってもよい。
【００２０】
Ｗｉ−Ｆｉモジュール１２は、請求項の第二の位置情報取得部の一例である。Ｗｉ−Ｆｉモジュール１２は、ＩＥＥＥ８０２．１１規格による近距離無線通信機能（符号化、変調、無線送信等）を提供することができる。Ｗｉ−Ｆｉモジュール１２は、スマートフォン１のユーザが無線基地局（不図示）などとの間でＷｉ−Ｆｉ  Ｐ２Ｐグループを形成（又は生成）することによりデータ交換機能などを使用することができるようになる。これにより、スマートフォン１は、無線基地局を経由してインターネット網（不図示）に接続することが可能となる。スマートフォン１は、インターネット網を介してペアリング情報を保持するデータベースサーバ（不図示）へとアクセスし、ペアリングされている相手方の位置情報を取得することができるように構成されている。なお、本発明の第二の位置情報取得部としては、インターネット網に接続することができれば、Ｗｉ−Ｆｉ以外の他の無線通信規格を採用してもよい。たとえば第二の位置情報取得部は、ＩＥＥＥ８０２．１１シリーズ以外のＷＬＡＮ（Wireless LAN）、ＤＬＮＡ（Digital Living Network Alliance）、Ｗｉｂｒｏ（Wireless Broadband）、ＷｉＭＡＸ（Worldwide Interoperability for Microwave Access）、ＨＳＤＰＡ（High Speed Downlink Packet Access）などの無線通信規格を用いるものであってもよい。
【００２１】
制御部１３は、請求項の動作制御部の一例である。制御部１３は、たとえばＣＰＵ，ＧＰＵ，メモリコントローラ、周辺デバイスコントローラ、ディスプレイコントローラなどで構成されるアプリケーションプロセッサで構成されており、このアプリケーションプロセッサがメモリに格納された専用のプログラム（アプリ）をＲＡＭにロードして実行することでスマートフォン１の各部の機能を実現するための各種情報処理を実行することができる。
【００２２】
方位センサ１４は、請求項の方位検出部の一例である。方位センサ１４は、たとえば磁界の向きを計測するセンサで構成されており、磁界の向きを示す情報（たとえば３ビット（０００〜１１１）で、８方向）を制御部１３に対して出力することができる。
【００２３】
角度センサ１５は、請求項の角度検出部の一例である。角度センサ１５は、たとえばジャイロセンサや加速度センサなどで構成されており、スマートフォン１の向きを示す情報（ＸＹＺの３軸方向の角速度や重力加速度）を検出して制御部１３に対して出力することができる。
【００２４】
赤外線モジュール１６は、近距離通信のためのモジュールである。赤外線モジュール１６は、近くにペアリング相手がいると判明した場合に、相互に相手方を検出する際に使用される。なお、他の近距離無線通信技術としては、ブルートゥース（登録商標、Bluetooth）、ＲＦＩＤ（Radio Frequency Identification）、ＩｒＤＡ（Infrared Data Association）、ＵＷＢ（Ultra Wideband）、ＺｉｇＢｅｅ、ＮＦＣ（Near Field Communication）、Ｗｉ−Ｆｉダイレクトなどの通信規格を用いることもできる。
【００２５】
図４は、図１に示す鳥型アクセサリ２を説明するための図であり、（Ａ）は、鳥型アクセサリ２の外観を示す図であり、（Ｂ）は、鳥型アクセサリ２のハウジング２１内部に挿入される電子基板２２およびＬＥＤ２３などを示す図である。図４に示すように、鳥型アクセサリ２は、ハウジング２１と、スマートフォン１からの電気信号に基づいてＬＥＤ２３を点灯させるための回路を含む電子基板２２と、スマートフォン１と接続するためのイヤホンジャック２４とを有する。なお、ＬＥＤ２３の色は種々選択可能であるが、ここではたとえば青色、赤色などが用いられている。
【００２６】
ハウジング２１は、外観が鳥の姿を表した半透明の筐体で形成されており、内部に電子基板２２およびＬＥＤ２３などの収納できる空間を有している。鳥は伝書鳩を代表として太古から人と人をつなげる役目を担っていることから、本実施例のハウジング２１には鳥の形状を採用することがより好ましい。しかしながら、本発明においては、ハウジング２１は青い鳥の形状以外のものでもよく、アニメや漫画などのキャラクター、有名人や芸能人、歴史上の人物などを模したキャラクター、鳥以外の動物、植物、昆虫などに適宜変更することが可能である。
【００２７】
（ペアリングの説明）
図５は、ペアリングの設定手順を説明するためのフローチャート図である。ペアリングは、ユーザが事前に所定のＷｅｂサイト（不図示）などで自己のスマートフォン１を識別するためのＩＤを登録すると共に、ペアリングする予定の相手方のＩＤについても事前に設定することにより実現される。これにより、スマートフォン１においてペアリングされた相手方の登録ＩＤに関連づけられている相手方の位置情報を取得することができるように構成されている。たとえば、スマートフォン１の制御部１３は、上述したようなペアリング情報を保持するデータベースサーバ（不図示）に対して定期的に自己の位置情報あるいは登録ＩＤなどをＷｉ−Ｆｉモジュール１１を介して送信する。データベースサーバは、送信されてきた登録ＩＤにペアリングされている登録ＩＤがあるときは、そのペアリングされたＩＤに関連付けられている位置情報（すなわちペアリング相手の位置情報）を返信する。これにより、スマートフォン１では相手方の位置情報をリアルタイムに知ることが可能となる。なお、リアルタイムにデータベースサーバとスマートフォン１とを通信させる技術としてはたとえばＷｅｂソケット（WebSocket）という通信規格を採用することが好ましい。
【００２８】
図６は、スマートフォン１と鳥型アクセサリ２とを用いて非言語コミュニケーションによる意思伝達を行う際の一連の動作を示すフローチャートである。なお、本動作の前に図５で説明したペアリングがなされているものとして説明する。
【００２９】
ＳＴＡＲＴ：ユーザが鳥型アクセサリ２をスマートフォン１のイヤホンジャック孔（不図示）に装着する、もしくは鳥型アクセサリ２が装着されたスマートフォン１を操作して専用のアプリを起動すると本処理が開始される。
【００３０】
ＳＴＥＰ１１：スマートフォン１の制御部１３は、自己の位置情報を取得する。具体的には制御部１３は、ＧＰＳモジュール１１により自己の位置情報を取得する。なお、ＧＰＳモジュール１１により地球軌道上の衛星からの電波を取得できないような場合（たとえば屋内、地下など）には過去に取得した位置情報を利用するようにしてもよいし、過去の所定時間内に位置情報を取得していればその際に取得した位置情報を自己の位置情報として利用するようにしてもよい。
【００３１】
ＳＴＥＰ１２：制御部１３は、相手方の位置情報を取得する。具体的には、制御部１３は、Ｗｉ−Ｆｉモジュール１２により無線基地局と無線通信を行って不図示のインターネット網へと接続し、不図示のデータベースサーバからペアリングされている相手方の位置情報を取得する。
【００３２】
ＳＴＥＰ１３：制御部１３は、ＳＴＥＰ１１で取得した自己の位置情報とＳＴＥＰ１２で取得した相手の位置情報との関係から、自己の位置からみた相手のいる方向、角度を特定する。
【００３３】
ＳＴＥＰ１４：そして、制御部１３は、方位センサ１４により自己の方位情報を検出する。
【００３４】
ＳＴＥＰ１５：さらに、制御部１３は、角度センサ１５により自己の角度情報を検出する。
【００３５】
ＳＴＥＰ１６：制御部１３は、ＳＴＥＰ１３で特定した相手のいる方向、角度と、ＳＴＥＰ１４で検出した自己の向いている方位およびＳＴＥＰ１５で検出した角度情報とを比較する。
【００３６】
ＳＴＥＰ１７：制御部１３は、ステップＳ１６の比較の結果、両者が一致するか、ほぼ一致する場合に所定の動作を実行させる。なお、ここでいう、ほぼ一致すると判定する場合について特に限定しないが、たとえば８方向（東・西・南・北・北東・南東・北西・南西）で判断した場合に両者が隣接する方角であること検出された場合や、角度については±４５度などの範囲内にあることが検出された場合などをほぼ一致するとして判断することができるが、これらの判断基準については適宜設計変更することができる。なお、両者が一致しない場合には、自己の方位や角度について監視し、変化があった場合に再度ＳＴＥＰ１６の比較処理を行う。また、両者の位置が極めて近い場合には、本ステップＳ１７と並行して赤外線モジュール１６を用いて相手を直接検出するようにしてもよい。
【００３７】
ＳＴＥＰ１８：制御部１３からの所定の動作の実行命令に基づいて、鳥型アクセサリ２のＬＥＤ２３が点灯、あるいは点滅する。なお、不図示のスピーカから鳥のさえずりを同時に出力させるようにしてもよい。そして、制御部１３は、これらのアクションが完了すると本処理を終了する（ＥＮＤ）。
【００３８】
なお、図６に示した処理手順は必ずしもこの順番通りに実行されなくてもよく、また各処理ステップが並行して実行されるようにしてもよい。
【００３９】
図７は、スマートフォン１のディスプレイ７０に表示される画面の一例を示す図である。ディスプレイには、たとえば、神秘的な星空が背景として描かれていると共に、スマートフォン１の先端（図７ではＸ１方向側）の指し示す方向を表現している矢印アイコン７１と、２羽の鳥アイコン７２、７３とが表示されている。矢印アイコン７１は、自己の指し示している方向および角度に応じてアイコン自体が回転する。図７に示す例では、Ｘ１方向に相手方が位置しているため、矢印アイコン７１の先端がＸ１方向へ向いている。なお、鳥アイコン７２は相手方のいる方向を指し示しているため、鳥アイコン７３とは異なり、光っているようなアニメーションがなされている。これらの演出により、ディスプレイ７０上で自己の指し示している方向や角度および相手方のいる方向に向いているか否かについて言語以外の方法で表現されている。
【００４０】
（第２実施形態）
図８は、本発明の第２実施形態に係る鳥型デバイス３０の外観を示す図である。鳥型デバイス３０は、第１実施形態とは異なり、スマートフォン１を用いないが、機能的構成についてはスマートフォン１とほぼ同様である。図８に示すように、鳥型デバイス３０は、鳥の形をした青い着色がなされたハウジング３１で形成されている。ハウジング３１の鳥の眼に相当する部分にはＬＥＤ３２が埋め込まれており、胸のあたりには赤外線センサ３３が設けられている。
【００４１】
図９は、図８に示す鳥型デバイス３０の機能的構成を示すブロック図である。図９に示すように、鳥型デバイス３０は、ＧＰＳモジュール４１と、Ｗｉ−Ｆｉモジュール４２と、マイコン４３と、方位センサ４４と、角度センサ４５と、赤外線モジュール４６、ＬＥＤ４７、スピーカ４８および記憶部４９とを有している。なお、鳥型デバイス３０は、第１実施形態で説明したスマートフォン１および鳥型アクセサリ２が有する構成をすべてハウジング３１内に有するように構成したものであるため、それぞれの機能の説明については同様であるため省略する。なお、第１実施形態と同様に、ハウジング３１には青い鳥の形状を採用することが好ましいが、青い鳥の形状以外のものでもよく、アニメや漫画などのキャラクター、有名人や芸能人、歴史上の人物などを模したキャラクター、鳥以外の動物、植物、昆虫などに適宜変更することが可能である。
【００４２】
（効果について）
以上で説明したように、スマートフォン１または鳥型デバイス３０は、ＧＰＳモジュール１１，４１（第一の位置情報取得部の一例）を用いて自己の現在の位置情報を取得し、Ｗｉ−Ｆｉモジュール１２，４２（第二の位置情報取得部の一例）を用いて相手方のスマートフォン（対象の一例）などの位置情報を取得し、これらにより取得した位置情報から自己の位置情報を起点としてみた場合の対象の方位を示す方位情報と、方位センサ１４，４４（方位検出部の一例）により検出された自己の現在の方位情報とに基づいて所定の動作を実行させるように構成しているので、相手のいる方向にスマートフォン１あるいは鳥型デバイス３０を向けることで非言語による何らかの動作（アクション）がなされることになる。たとえば、本実施例では、鳥型アクセサリ２に内蔵されるＬＥＤ２３や鳥型デバイス３０のＬＥＤ３２が発光する、または鳥型アクセサリ２に内蔵される不図示のスピーカや、鳥型デバイス３０が有するスピーカ４８によって鳥のさえずりなどの鳴き声が出力されることとなる。これにより、たとえば遠隔地にいる恋人や家族同士で、お互いにどんなに離れた所にいても各人が所有している青い鳥を相手の方向に向けると青い鳥の眼が光り、あるいは互いの青い鳥を向け合うとさえずりあうこととなるため、青い鳥の眼の光や鳴き声を通してお互いが地球上のどこにいても大切な人の存在を感じることができるという今までにはない非言語コミュニケーションを実現することが可能となる。
【００４３】
また、上述した構成に加えて、自己の現在の角度情報を検出する角度センサ１５（角度検出部の一例）を有し、取得した自己および相手方の位置情報から、自己の位置情報を起点としてみた場合の相手方の角度情報を算出し、相手方の方位情報および角度情報と自己の現在の方位情報および自己の現在の角度情報とに基づいて所定の動作を実行させるようにしている。これにより、角度情報も参考にして相手を特定することにため、地球上のどこにいても、３６０度の範囲で相手のいる方向を指し示すことが可能となる。
【００４４】
また、上述した構成に加えて、相手方の方位を示す方位情報と自己の方位情報とが一致する、または両者がほぼ一致する場合に所定の動作を実行させる、あるいは、相手方の方位を示す方位情報および角度情報と、自己の方位情報および角度情報とが一致する、または両者がほぼ一致する場合に所定の動作を実行させるように構成している。これにより、相手の位置を感覚的に把握することが可能となると共に、両者が一致あるいはほぼ一致した場合に所定の動作が実行されるため、ユーザに対して相手との間に言葉では表現できないつながりがあるような感覚を与えることができる。
【００４５】
また、鳥型アクセサリ２は、上述したスマートフォン１と電気的に接続可能なイヤホンジャック２４（連結端子部の一例）と、イヤホンジャック２４を介してスマートフォン１の制御部１３からの指示に基づいて出力される電気信号を光エネルギまたは物理振動エネルギに変換する電子基板２２（変換部の一例）とを有しているので、相手のいる方向を指し示したときに、ＬＥＤ２３が光ったり、鳥のさえずりなどが出力されることが可能となるため、スマートフォン１の単なる装飾としてのアクセサリという範囲にはとどまらない非言語コミュニケーション用のアクセサリとなる。
【００４６】
また、第１実施形態のスマートフォン１にインストールされるアプリケーション（プログラム）についても、この機能を有していないスマートフォンにインストールするだけで、スマートフォン１として機能させることができるため、同様の効果を奏することができる。また、第２実施形態の鳥型デバイス３０のマイコン４３に組み込まれるプログラムについても鳥型デバイス３０と同様の効果を奏することができる。
【００４７】
（その他の変形例について）
以上、本発明の各実施の形態について説明したが、本発明はこれ以外にも種々変形可能となっている。以下、それについて述べる。
【００４８】
たとえば、上述した本発明の各実施の形態において、電子機器の一例としてスマートフォン１を例示したが、スマートフォン以外の携帯端末、携帯電話、パーソナルコンピュータなどであってもよい。
【００４９】
また、上述した本発明の各実施の形態において、所定の動作としてＬＥＤ２３,４７の点灯、スピーカから音声を発生させるようにしたが、これらのいずれかの動作をするように構成してもよいし、それ以外にも、スマートフォン１や鳥型デバイス３０を振動させる、ハウジング２１、３１の内部に小型のヒータなどを設けて温めてぬくもりを演出させるようにしてもよい。
【００５０】
また、上述した本発明の各実施の形態においてペアリングは１対１の関係であったが、１対多、多対多という関係に設定してもよい。１対多の場合、たとえばアーティストとファンの間で設定し、コンサート会場のどこかにアーティストがいるのかを探したりする演出などに利用することができる。多対多の場合、いわゆる街コンなどでも活用できる。たとえば、自己のプロフィールや好みのタイプなどを鳥型デバイス３０の記憶部４９や不図示のデータベースサーバ上に予め記憶させると共に、合致する相手をペアリングさせておき、利用者が合致する相手を指し示すと、なんらかのアクションを実行させるようにしてもよい。また、スマートフォン１や鳥型デバイス３０で実行される所定の動作自体も常に同じ動作としなくてもよく、複数のパターンをプログラミングしておいてもよい。また、所定の動作としてＬＥＤ２３,４７が光る場合には点滅パターンを複数設定するようにしてもよい。
【００５１】
また、スマートフォン１、鳥型アクセサリ２や鳥型デバイス３０の表面あるいは外付けで、人の感情などを認識できる脳波センサなどを取り付けておき、検出された感情により所定の動作を実行させるようにしてもよい。また、鳥型アクセサリ２や鳥型デバイス３０をバーチャルペットとしてユーザとコミュニケーションがとれるように構成してもよい。たとえば、鳥型アクセサリ２が装着されたスマートフォン１や鳥型デバイス３０を持ってユーザが行動した履歴（定期的に送信される位置情報）を所定のサーバなどに蓄積させると共に、ユーザが移動した距離や時間に応じて鳥型アクセサリ２や鳥型デバイス３０に対応するバーチャルペットが成長したり、日記を書いてくれるようにしてもよい。これにより、ユーザと鳥型アクセサリ２や鳥型デバイス３０に対応するバーチャルペットとの間で新たなコミュニケーションが構築され、ユーザが鳥型アクセサリ２や鳥型デバイス３０に感情移入したり、親近感を覚えたりすることができる。
【００５２】
また、鳥型アクセサリ２や鳥型デバイス３０を両親とその子供にそれぞれ所有させると共に、これらをペアリングさせておけば、デパートや遊園地などで子供が迷子になったときに、両親が子供のいる場所を鳥型アクセサリ２や鳥型デバイス３０を用いて探すことができる。また、鳥型アクセサリ２や鳥型デバイス３０のハウジング２１、３１内に人間の体温などの温度等を測定できるセンサ装置を内蔵させておき、ユーザ（たとえば高齢者）がハウジング２１、３１を手などで包み込んだときの温度を測定すると共に、これらの測定値を蓄積して体調管理などに応用するようにしてもよい。
【符号の説明】
【００５３】
１，１Ａ，１Ｂ…スマートフォン（電子機器の一例）、２，２Ａ，２Ｂ…鳥型アクセサリ（電子機器用アクセサリの一例）、１１…ＧＰＳモジュール（第一の情報取得部の一例）、１２…Ｗｉ−Ｆｉモジュール（第二の情報取得部の一例）、１３…制御部（方位算出部、動作制御部の一例）、１４…方位センサ（方位検出部の一例）、１５…角度センサ（角度検出部の一例）、２２…電子基板（変換部の一例）、２３…ＬＥＤ、２４…イヤホンジャック（連結端子部の一例）、３０…鳥型デバイス（電子機器の一例）、３１…ハウジング、４１…ＧＰＳモジュール（第一の情報取得部の一例）、４２…Ｗｉ−Ｆｉモジュール（第二の情報取得部の一例）、４３…マイコン（方位算出部、動作制御部の一例）、４４…方位センサ（方位検出部の一例）、４５…角度センサ（角度検出部の一例）、４７…ＬＥＤ
【図１】
2015136074.tif 000003
【図２】
2015136074.tif 000004
【図３】
2015136074.tif 000005
【図４】
2015136074.tif 000006
【図５】
2015136074.tif 000007
【図６】
2015136074.tif 000008
【図８】
2015136074.tif 000009
【図９】
2015136074.tif 000010
【図７】
2015136074.tif 000011